(57)【要約】【課題】  各群のパワー配置を適切に構成することにより、広角化によるレンズ系の大型化を防ぎ、大口径化でも良好な結像性能を得るズームレンズを備えた撮像装置。【解決手段】  正の第１群Ｇ１、負の第２群Ｇ２、正の第３群Ｇ３、正の第４群Ｇ４からなり、広角端から望遠端への変倍時に、第１群と第２群との間が増大し、第２群と第３群との間が減少し、第３群と第４群との間が増大するように、少なくとも第１群、第２群、第３群が移動するズームレンズを備えた撮像装置において、第３群Ｇ３が、正レンズ、正レンズ、負レンズからなる。【選択図】        図１
2006308649.tif 000002
【特許請求の範囲】
【請求項１】
物体側から順に、正の第１レンズ群、負の第２レンズ群、正の第３レンズ群、正の第４レンズ群からなり、広角端から望遠端への変倍時に、前記第１レンズ群と前記第２レンズ群との間が増大し、前記第２レンズ群と前記第３レンズ群との間が減少し、前記第３レンズ群と前記第４レンズ群との間が増大するように、少なくとも前記第１レンズ群、前記第２レンズ群、前記第３レンズ群が移動し、前記第１レンズ群は単レンズ若しくは接合レンズからなり、望遠端よりも広角端において像側に位置し、かつ、以下の条件式（Ａ）、（Ｂ）を満足するズームレンズを備えた撮像装置において、
前記第３レンズ群が、物体側から順に、正レンズ、正レンズ、負レンズからなることを特徴とする撮像装置。
−０．５＜ｄ2 ／ｒ1 ＜２                                      ・・・（Ａ）
０．７２５＜ＩＨ／ｆr ＜０．８                                ・・・（Ｂ）
ただし、ｄ2 は条件式（Ｂ）を満足する何れかの焦点距離ｆr のときの第２レンズ群と第３レンズ群の間隔、ｒ1 は第１レンズ群の最も物体側の面の曲率半径である。
【請求項２】
前記ズームレンズが次の条件式（１）を満足することを特徴とする請求項１記載の撮像装置。
２＜ｆ4 ／ｆw ＜３．５                                        ・・・（１）
ただし、ｆ4 は第４レンズ群の焦点距離、ｆw は広角端での全系の焦点距離である。
【請求項３】
前記ズームレンズが次の条件式（２）を満足することを特徴とする請求項１又は２記載の撮像装置。
０．９＜ｆ1 ／Ｌw ＜１．２                                    ・・・（２）
ただし、ｆ1 は第１レンズ群の焦点距離、Ｌw は広角端での全系の全長である。
【請求項４】
前記ズームレンズが次の条件式（３）を満足することを特徴とする請求項１から３の何れか１項記載の撮像装置。
２．７＜Ｄ2(w)／Ｄ3(w)＜５．０                                ・・・（３）
ただし、Ｄ2(w)は広角端での第２レンズ群と第３レンズ群の群間隔、Ｄ3(w)は広角端での第３レンズ群と第４レンズ群の群間隔である。
【請求項５】
前記ズームレンズが次の条件式（４）を満足することを特徴とする請求項１から４の何れか１項記載の撮像装置。
５＜｜ｆ1 ／ｆ2 ｜＜５．７                                    ・・・（４）
ただし、ｆ1 は第１レンズ群の焦点距離、ｆ2 は第２レンズ群の焦点距離である。
【請求項６】
前記ズームレンズが次の条件式（５）を満足することを特徴とする請求項１から５の何れか１項記載の撮像装置。
０．６＜ｆ3 ／ｆ4 ＜１．２                                    ・・・（５）
ただし、ｆ3 は第３レンズ群の焦点距離、ｆ4 は第４レンズ群の焦点距離である。
【請求項７】
前記ズームレンズが次の条件式（６）を満足することを特徴とする請求項１から６の何れか１項記載の撮像装置。
０．３＜Ｄ3(t)／ｆt ＜０．７                                  ・・・（６）
ただし、Ｄ3(t)は望遠端での第３レンズ群と第４レンズ群の群間隔、ｆt は望遠端での全系の焦点距離である。
【請求項８】
前記ズームレンズが次の条件式（７）を満足することを特徴とする請求項１から７の何れか１項記載の撮像装置。
１．６＜ｈ3(w)／ｈ’3(w)＜１．８                              ・・・（７）
ただし、ｈ3(w)は広角端での軸上マージナル光が第３レンズ群の物体側面に入射する光線高、ｈ’3(w)は広角端での軸上マージナル光が第３レンズ群の像側面から射出する光線高である。
【請求項９】
前記ズームレンズが次の条件式（８）を満足することを特徴とする請求項１から８の何れか１項記載の撮像装置。
１．５＜ｈ3(t)／ｈ’3(t)＜１．７                              ・・・（８）
ただし、ｈ3(t)は望遠端での軸上マージナル光が第３レンズ群の物体側面に入射する光線高、ｈ’3(t)は望遠端での軸上マージナル光が第３レンズ群の像側面から射出する光線高である。
【請求項１０】
前記第２レンズ群の物体側から第１、第２の負レンズの硝材の屈折率が何れも１．８１以上で、かつ、前記第２レンズ群の正レンズの屈折率が１．８５以上であることを特徴とする請求項１から９の何れか１項記載の撮像装置。
【請求項１１】
前記第２レンズ群に非球面を有しないことを特徴とする請求項１から１０の何れか１項記載の撮像装置。
【発明の詳細な説明】
【技術分野】
【０００１】
本発明は、撮像装置に関し、特に、小型ながらも高変倍比化に有利な広角ズームレンズを備えた撮像装置に関するものである。
【背景技術】
【０００２】
コンパクトデジタルカメラの光学系では、コンパクトな負先行タイプが知られているが、変倍比を上げたり、大口径化するのが難しい。したがって、より高変倍、大口径化を求められる光学系では、正先行タイプが用いられている（特許文献１、特許文献２、特許文献３）。
【特許文献１】特開２００４−２１２６１８号公報
【特許文献２】特開２００４−２５２２０４号公報
【特許文献３】特開平９−６１７１４号公報
【発明の開示】
【発明が解決しようとする課題】
【０００３】
しかし、従来の正先行タイプでは、広角の画角を得ようとすると前玉径が大きくなり、小型化、低コスト化が十分に達成されていなかった。
【０００４】
本発明は従来技術のこのような状況に鑑みてなされたものであり、その目的は、各群のパワー配置を適切に構成することにより、広角化によるレンズ系の大型化を防ぎ、大口径化でも良好な結像性能を得るズームレンズを備えた撮像装置を提供することである。
【課題を解決するための手段】
【０００５】
上記目的を達成する本発明の撮像装置は、物体側から順に、正の第１レンズ群、負の第２レンズ群、正の第３レンズ群、正の第４レンズ群からなり、広角端から望遠端への変倍時に、前記第１レンズ群と前記第２レンズ群との間が増大し、前記第２レンズ群と前記第３レンズ群との間が減少し、前記第３レンズ群と前記第４レンズ群との間が増大するように、少なくとも前記第１レンズ群、前記第２レンズ群、前記第３レンズ群が移動し、前記第１レンズ群は単レンズ若しくは接合レンズからなり、望遠端よりも広角端において像側に位置し、かつ、以下の条件式（Ａ）、（Ｂ）を満足するズームレンズを備えた撮像装置において、
前記第３レンズ群が、物体側から順に、正レンズ、正レンズ、負レンズからなることを特徴とするものである。
【０００６】
−０．５＜ｄ2 ／ｒ1 ＜２                                      ・・・（Ａ）
０．７２５＜ＩＨ／ｆr ＜０．８                                ・・・（Ｂ）
ただし、ｄ2 は条件式（Ｂ）を満足する何れかの焦点距離ｆr のときの第２レンズ群と第３レンズ群の間隔、ｒ1 は第１レンズ群の最も物体側の面の曲率半径である。
【０００７】
以下に、本発明において、上記構成をとる理由と作用を説明する。
【０００８】
本発明のよるズームレンズは、正・負・正・正のパワー配置の４群ズームレンズである。負先行タイプでは、大口径化、高変倍化に不利であるため、小型化と大口径化、変倍比確保をするためこのような構成とする。
【０００９】
そして、広角端から望遠端への変倍時に、第１レンズ群と第２レンズ群との間が増大し、第２レンズ群と第３レンズ群との間が減少し、第３レンズ群と第４レンズ群との間が増大するように、少なくとも第１レンズ群、第２レンズ群、第３レンズ群が移動する。
【００１０】
この構成により、広角端で第１レンズ群が像側にあることで前玉径の増大を防ぎ、第２レンズ群、第３レンズ群の両方で変倍の負担を分け合うことにより、効率良く変倍が行え、全長の短縮が達成される。
【００１１】
そして、第１レンズ群を単レンズ若しくは接合レンズで構成する。第１レンズ群は周辺光束の光線高が高く、角度もついているため、前玉径が大きくなりやすく、さらにレンズが増えることによる口径の大型化が著しいため、この構成をとる。
【００１２】
また、条件式（Ａ）の上限の２を越えると、第２レンズ群と第３レンズ群の間が大きくなるか、第１レンズ群の外径が大きくなり、レンズ系が大型化してしまう。下限の−０．５を越えると、高い変倍比が確保できなくなってしまう。
【００１３】
そして、本発明においては、第３レンズ群の構成が、正レンズ、正レンズ、負レンズ、若しくは、正レンズと接合レンズからなる。このように構成して第３レンズ群の主点位置を入射側にもってくることで、
・望遠側の変倍のためのスペースを確保する（第２レンズ群と第３レンズ群の間が広げられる）、
・広角端での周辺光の光線高を低く抑えることができ、第１レンズ群、第２レンズ群の小型化に寄与。
【００１４】
また、第３レンズ群は、変倍だけでなく、結像にも重要な役割を果たすレンズ群のため、正、正、負の構成は収差補正と小型化の両立できる構成である。
【００１５】
以上のような構成により、広角端での画角が７２°以上のズームレンズを構成することが可能となる。
【００１６】
さて、以上の構成に加えて、開口絞りは第３レンズ群の入射側に配置して変倍時に一体で移動するようにすることが望ましい。
【００１７】
結像作用に重要に関わる第３レンズ群を絞りの近傍に配置することにより、第３レンズ群をパワーを持たせながら径方向の小型化ができる。また、このように構成すると、変倍による光線高の変化が少ないため、ズーム全域にわたり安定した結像性能を得られる。
【００１８】
また、第２レンズ群を負メニスカスレンズ、負レンズ、正レンズの３枚、若しくは、負メニスカスレンズ、負メニスカスレンズ、負レンズ、正レンズの４枚からなる構成としてもよい。
【００１９】
このように構成して、第２レンズ群の主点位置を射出側に持っていくことにより、望遠側の変倍のためのスペースを確保し、また、第２レンズ群での横倍率を高く設定でき、第２レンズ群による変倍作用が高まる。また、入射瞳位置が物体側に移動するため、前玉径の増大を防ぐことができる。
【００２０】
さて、以上の撮像装置において、前記ズームレンズが次の条件式（１）を満足することが望ましい。
【００２１】
２＜ｆ4 ／ｆw ＜３．５                                        ・・・（１）
ただし、ｆ4 は第４レンズ群の焦点距離、ｆw は広角端での全系の焦点距離である。
【００２２】
この条件式（１）は第４レンズ群の適切なパワーを規定する条件式であり、この条件式の上限の３．５より大きくなると、第４レンズ群のパワーが弱くなり、射出瞳を遠くする（撮像素子のＣＣＤへの入射角を小さくする）効果が弱くなり、シェーディング特性が悪くなる。また、レンズ径の全長が長くなる。第４レンズ群をフォーカス群として使用した場合、焦点調節のための感度が小さくなり、スペースが確保し難くなる。また、ズーミングによる球面収差変動の補正効果が得られない。
【００２３】
条件式（１）の下限の２より小さくなると、バックフォーカスが短くなり、光学フィルターを入れるのに必要なスペースが確保できない。また、ズーミングによる射出瞳の変動が大きくなり、撮像素子のＣＣＤへの入射角の変動が大きくなるため、変倍域全般にわたるシェーディング特性の確保が難しくなる。また、広角端での第１レンズ群、第２レンズ群の周辺光束の光線高が高くなり、レンズ径の大型化を招いてしまう。
【００２４】
また、前記ズームレンズが次の条件式（２）を満足することが望ましい。
【００２５】
０．９＜ｆ1 ／Ｌw ＜１．２                                    ・・・（２）
ただし、ｆ1 は第１レンズ群の焦点距離、Ｌw は広角端での全系の全長である。
【００２６】
この条件式（２）は第１レンズ群の焦点距離と広角端全長との関係を規定する条件式である。この条件式では、広角端時に第１レンズ群によって結像される像が全系による像面の位置と略同じになることを意味している。これにより、ズーム全域において第２レンズ群の結像関係上、より変倍効率の良い領域を使用できるため、ズーミングに必要なスペースを短縮して、全長の小型化を図ることができる。
【００２７】
この条件式（２）の上限の１．２より大きくなると、第１レンズ群のパワーが弱くなり、第２レンズ群へ入射する光束の結像位置が遠くなり、第２レンズ群での横倍率が小さくなってしまう。そのため、第２レンズ群での変倍効率が悪くなって変倍時の第１レンズ群移動量が大きくなり、レンズユニットの大型化を招く。
【００２８】
この条件式（２）の下限の０．９より小さくなると、第１レンズ群の径に対してパワーが強すぎるため、単レンズ若しくは接合レンズのみでは所望のパワーが得られない。また、広角端での周辺光線の角度が大きいため、レンズ枚数を増やすとさらなる光学系の大型化を招く。
【００２９】
また、前記ズームレンズが次の条件式（３）を満足することが望ましい。
【００３０】
２．７＜Ｄ2(w)／Ｄ3(w)＜５．０                                ・・・（３）
ただし、Ｄ2(w)は広角端での第２レンズ群と第３レンズ群の群間隔、Ｄ3(w)は広角端での第３レンズ群と第４レンズ群の群間隔である。
【００３１】
この条件式（３）は広角端での適切な群間隔の配置を規定する式である。この条件式（３）の上限の５．０を越えると、周辺光束が第１レンズ群、第２レンズ群に入射、射出する光線の光線高が高くなるため、前玉が大きくなり、レンズユニットの大型化を招く。下限の２．７を越えると、ズーミングのためのスペースが減少するため、変倍比を稼ぐのが難しくなる。
【００３２】
また、前記ズームレンズが次の条件式（４）を満足することが望ましい。
【００３３】
５＜｜ｆ1 ／ｆ2 ｜＜５．７                                    ・・・（４）
ただし、ｆ1 は第１レンズ群の焦点距離、ｆ2 は第２レンズ群の焦点距離である。
【００３４】
この条件式（４）は第２レンズ群の広角端から望遠端への変倍作用を適切に持たせるための条件式である。この条件式（４）の上限の５．７を越えると、第１レンズ群の像側焦点位置と第２レンズ群の物体側焦点位置が離れるため、第２レンズ群の結像倍率の低い領域で変倍することになる。したがって、変倍に際しての効率が低下し、第１レンズ群の変倍による移動量を増加させ、望遠端全長の増大を招く。若しくは、第２レンズ群のパワーが強くなりすぎて、第２レンズ群で発生する収差が増大する。条件式（４）の下限の５を越えると、第１レンズ群のパワーが強くなり、単レンズ若しくは接合レンズで構成するのが難しくなる。また、第２レンズ群のパワーが弱く、変倍作用が弱まり、結果的に第３レンズ群に変倍の変倍負担を増やすので、望遠端でのＦナンバーの増大を招いてしまう。
【００３５】
また、前記ズームレンズが次の条件式（５）を満足することが望ましい。
【００３６】
０．６＜ｆ3 ／ｆ4 ＜１．２                                    ・・・（５）
ただし、ｆ3 は第３レンズ群の焦点距離、ｆ4 は第４レンズ群の焦点距離である。
【００３７】
この条件式（５）は結像作用の分担割合を規定する条件式である。条件式（５）の上限の１．２を越えると、第３レンズ群の結像作用が弱まり、全長が長くなる。若しくは、第４レンズ群のパワーが強くなるため、ズーミングによる射出瞳位置変動が大きくなり、シェーディング特性の確保が難しくなる。条件式（５）の下限の０．６を越えると、第３レンズ群のパワーが強くなるため、各レンズの曲率がきつくなり、大口径化に対して収差を良好に補正できない。若しくは、第４レンズ群のパワーが弱まるため、フォーカスのときの移動量が大きくなり、スペースが確保できない。
【００３８】
また、前記ズームレンズが次の条件式（６）を満足することが望ましい。
【００３９】
０．３＜Ｄ3(t)／ｆt ＜０．７                                  ・・・（６）
ただし、Ｄ3(t)は望遠端での第３レンズ群と第４レンズ群の群間隔、ｆt は望遠端での全系の焦点距離である。
【００４０】
この条件式（６）は望遠端におけるパワー配置を規定する条件式である。条件式（６）の上限の０．７を越えると、軸上マージナル光の第４レンズ群への入射面での光線高が低くなるため、望遠端のときに第２レンズ群で発生する正の球面収差を補正できない。また、第３レンズ群の変倍による移動量が増えて、Ｆナンバーが大きくなって暗くなったり、全長が伸びることで鏡枠のコンパクト化が難しくなる。条件式（６）の下限の０．３を越えると、上記とは逆で、軸上マージナル光の第４レンズ群への入射面での光線高が高くなりすぎて、負の球面収差が発生する。また、変倍負担を第１レンズ群と第２レンズ群にかけるため、入射瞳が深くなりやすく、周辺光束の第１レンズ群の光線高が高くなって、周辺光量確保が難しくなる。
【００４１】
また、前記ズームレンズが次の条件式（７）を満足することが望ましい。
【００４２】
１．６＜ｈ3(w)／ｈ’3(w)＜１．８                              ・・・（７）
ただし、ｈ3(w)は広角端での軸上マージナル光が第３レンズ群の物体側面に入射する光線高、ｈ’3(w)は広角端での軸上マージナル光が第３レンズ群の像側面から射出する光線高である。
【００４３】
この条件式（７）は第３レンズ群の軸上マージナル光線の高さに関する条件式である。条件式（７）の上限の１．８を越えると、光線高の差が大きくなりすぎるため、第３レンズ群の入射側で発生した球面収差を射出側の負レンズで補正する際、高次の収差が発生しやすくなる。また、レンズ肉厚等の加工誤差による像面湾曲変動が大きくなり好ましくない。条件式（７）の下限の１．６を越えると、第３レンズ群の主点位置の物体側へのずれ量が小さくなるため、変倍スペースの確保が難しくなる。また、バックフォーカスが長くなり、鏡枠の小型化に対して好ましくない。
【００４４】
また、前記ズームレンズが次の条件式（８）を満足することが望ましい。
【００４５】
１．５＜ｈ3(t)／ｈ’3(t)＜１．７                              ・・・（８）
ただし、ｈ3(w)は広角端での軸上マージナル光が第３レンズ群の物体側面に入射する光線高、ｈ’3(w)は広角端での軸上マージナル光が第３レンズ群の像側面から射出する光線高である。
【００４６】
この条件式（８）も第３レンズ群の軸上マージナル光線の高さに関する条件式である。条件式（８）の上限の１．７を越えると、光線高の差が大きくなりすぎるため、第３レンズ群の入射側で発生した球面収差を射出側の負レンズで補正する際、高次の収差が発生しやすくなる。また、レンズ肉厚等の加工誤差による像面湾曲変動が大きくなり好ましくない。条件式（８）の下限の１．５を越えると、第３レンズ群の主点位置の物体側へのずれ量が小さくなるため、変倍スペースの確保が難しくなる。また、バックフォーカスが長くなり、鏡枠の小型化に対して好ましくない。
【００４７】
また、前記第２レンズ群の物体側から第１、第２の負レンズの硝材の屈折率が何れも１．８１以上で、かつ、前記第２レンズ群の正レンズの屈折率が１．８５以上であることが望ましい。
【００４８】
第２レンズ群の第１、第２の負レンズの硝材の屈折率が１．８１を下回ったとき、ペッツバール和が増大して周辺の像面湾曲が起こる。また、広角側でのディストーションを補正できない。
【００４９】
また、第２レンズ群の第１、第２の負レンズの硝材の屈折率が何れも１．８１以上の条件を満たしつつ、第２レンズ群の正レンズの屈折率が１．８５を下回った場合、現状の硝材では倍率色収差を補正できるガラスの組み合わせがとり難い。また、望遠側での球面収差が増大してしまう。
【００５０】
また、前記第２レンズ群に非球面を有しないことが望ましい。
【００５１】
広角端での像面湾曲と歪曲収差を補正するには、第２レンズ群を負メニスカスレンズ、負レンズ、正レンズの３枚、若しくは、負メニスカスレンズ、負メニスカスレンズ、負レンズ、正レンズの４枚からなる構成にするか、第２レンズ群の第１、第２の負レンズの硝材の屈折率が何れも１．８１以上で、かつ、第２レンズ群の正レンズの屈折率が１．８５以上である構成にするか、第２レンズ群に非球面を導入することが考えられる（特に前側の負レンズ）。しかし、第２レンズ群での非球面は、径が大きくなること、縁肉が大きい等から、レンズの作成が難しく、コストアップにつながり好ましくない。
【００５２】
上述の各構成や条件式は、適宜組み合わせることで、それぞれの効果を奏するので、より効果的である。
【発明の効果】
【００５３】
以上の本発明の撮像装置によると、各群のパワー配置を適切に構成することにより、広角端での広角化によるレンズ系の大型化を防ぎ、大口径化でも良好な結像性能を得るズームレンズを備えた撮像装置を提供することができる。
【発明を実施するための最良の形態】
【００５４】
以下、本発明の撮像装置に用いるズームレンズの実施例１〜５について説明する。実施例１〜５の無限遠物点合焦時の広角端（ａ）、中間状態（ｂ）、望遠端（ｃ）のレンズ断面図をそれぞれ図１〜図５に示す。図中、第１レンズ群はＧ１、第２レンズ群はＧ２、開口絞りはＳ、第３レンズ群はＧ３、第４レンズ群はＧ４、ＩＲカットコートを施したローパスフィルターを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルター作用を持たせるようにしてもよい。
【００５５】
実施例１のズーム光学系は、図１に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側の凸の軌跡を描いて移動し、望遠端では広角端の位置より像側に位置する。開口絞りＳと第３レンズ群Ｇ３は一体に物体側に移動し、第４レンズ群Ｇ４は第３レンズ群Ｇ３との間隔を広げながら物体側に移動する。
【００５６】
物体側から順に、第１レンズ群Ｇ１は、物体側に凸面を向けた正メニスカスレンズ１枚からなり、第２レンズ群Ｇ２は、物体側に凸面を向けた負メニスカスレンズ２枚と、両凹負レンズと、両凸正レンズとからなり、第３レンズ群Ｇ３は、両凸正レンズ２枚と、両凹負レンズとからなり、第４レンズ群Ｇ４は、両凸正レンズ１枚からなる。
【００５７】
非球面は、第３レンズ群Ｇ３の物体側の両凸正レンズの両面と、第４レンズ群Ｇ４の両凸正レンズの両面の４面に用いている。
【００５８】
実施例２のズーム光学系は、図２に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側へ移動し、開口絞りＳと第３レンズ群Ｇ３は一体に物体側に移動し、第４レンズ群Ｇ４は第３レンズ群Ｇ３との間隔を広げながら物体側に移動する。
【００５９】
物体側から順に、第１レンズ群Ｇ１は、物体側に凸面を向けた正メニスカスレンズ１枚からなり、第２レンズ群Ｇ２は、物体側に凸面を向けた負メニスカスレンズと、両凹負レンズと、両凸正レンズとからなり、第３レンズ群Ｇ３は、両凸正レンズと、両凸正レンズと両凹負レンズの接合レンズとからなり、第４レンズ群Ｇ４は、両凸正レンズ１枚からなる。
【００６０】
非球面は、第３レンズ群Ｇ３の両凸正レンズの両面と、第４レンズ群Ｇ４の両凸正レンズの両面の４面に用いている。
【００６１】
実施例３のズーム光学系は、図３に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側へ移動し、開口絞りＳと第３レンズ群Ｇ３は一体に物体側に移動し、第４レンズ群Ｇ４は第３レンズ群Ｇ３との間隔を広げながら物体側に移動する。
【００６２】
物体側から順に、第１レンズ群Ｇ１は、物体側に凸面を向けた正メニスカスレンズ１枚からなり、第２レンズ群Ｇ２は、物体側に凸面を向けた負メニスカスレンズと、両凹負レンズと、物体側に凸面を向けた正メニスカスレンズとからなり、第３レンズ群Ｇ３は、両凸正レンズと、両凸正レンズと両凹負レンズの接合レンズとからなり、第４レンズ群Ｇ４は、両凸正レンズ１枚からなる。
【００６３】
非球面は、第３レンズ群Ｇ３の両凸正レンズの両面と、第４レンズ群Ｇ４の両凸正レンズの両面の４面に用いている。
【００６４】
実施例４のズーム光学系は、図４に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側の凸の軌跡を描いて移動し、望遠端では広角端の位置より若干物体側に位置する。開口絞りＳと第３レンズ群Ｇ３は一体に物体側に移動し、第４レンズ群Ｇ４は第３レンズ群Ｇ３との間隔を広げながら像側の凸の軌跡を描いて移動し、望遠端では広角端の位置より若干物体側に位置する。
【００６５】
物体側から順に、第１レンズ群Ｇ１は、物体側に凸面を向けた負メニスカスレンズと物体側に凸面を向けた正メニスカスレンズの接合レンズからなり、第２レンズ群Ｇ２は、物体側に凸面を向けた負メニスカスレンズと、両凹負レンズと、両凸正レンズとからなり、第３レンズ群Ｇ３は、両凸正レンズ２枚と、物体側に凸面を向けた負メニスカスレンズとからなり、第４レンズ群Ｇ４は、像側に凸面を向けた正メニスカスレンズ１枚からなる。
【００６６】
非球面は、第３レンズ群Ｇ３の物体側の両凸正レンズの両面と、第４レンズ群Ｇ４の正メニスカスレンズの両面の４面に用いている。
【００６７】
実施例５のズーム光学系は、図５に示すように、物体側から順に、正の屈折力を有する第１レンズ群Ｇ１、負の屈折力を有する第２レンズ群Ｇ２、開口絞りＳ、正の屈折力を有する第３レンズ群Ｇ３、正の屈折力を有する第４レンズ群Ｇ４から構成されており、広角端から望遠端への変倍をする際に、第１レンズ群Ｇ１は物体側へ移動し、第２レンズ群Ｇ２は像側へ移動し、開口絞りＳと第３レンズ群Ｇ３は一体に物体側に移動し、第４レンズ群Ｇ４は第３レンズ群Ｇ３との間隔を広げながら像側へ移動する。
【００６８】
物体側から順に、第１レンズ群Ｇ１は、物体側に凸面を向けた負メニスカスレンズと物体側に凸面を向けた正メニスカスレンズの接合レンズからなり、第２レンズ群Ｇ２は、物体側に凸面を向けた負メニスカスレンズと、両凹負レンズと、像側に凸面を向けた負メニスカスレンズと、両凸正レンズとからなり、第３レンズ群Ｇ３は、両凸正レンズ２枚と、物体側に凸面を向けた負メニスカスレンズとからなり、第４レンズ群Ｇ４は、像側に凸面を向けた正メニスカスレンズ１枚からなる。
【００６９】
非球面は、第３レンズ群Ｇ３の物体側の両凸正レンズの両面と、第４レンズ群Ｇ４の正メニスカスレンズの両面の４面に用いている。
【００７０】
以下に、上記各実施例の数値データを示すが、記号は上記の外、ｆは全系焦点距離、ＦNOはＦナンバー、ωは半画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【００７１】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 、Ａ10はそれぞれ４次、６次、８次、１０次の非球面係数である。
【００７２】
実施例１
ｒ1 =    22.826             ｄ1 =  4.58     ｎd1 =1.51633 νd1 =64.14 
ｒ2 =   112.202             ｄ2 = （可変）  
ｒ3 =    28.599             ｄ3 =  1.40     ｎd2 =1.88300 νd2 =40.76 
ｒ4 =     8.027             ｄ4 =  2.96     
ｒ5 =    45.690             ｄ5 =  1.20     ｎd3 =1.83400 νd3 =37.16 
ｒ6 =    11.957             ｄ6 =  1.95     
ｒ7 =   -40.545             ｄ7 =  1.30     ｎd4 =1.83400 νd4 =37.16 
ｒ8 =    77.198             ｄ8 =  0.80     
ｒ9 =    21.082             ｄ9 =  2.50     ｎd5 =1.92286 νd5 =20.88 
ｒ10=  -202.956             ｄ10= （可変）  
ｒ11=     ∞（絞り）        ｄ11=  1.00     
ｒ12=    13.634 （非球面）  ｄ12=  3.00     ｎd6 =1.74330 νd6 =49.33 
ｒ13=   -34.940 （非球面）  ｄ13=  0.30     
ｒ14=     9.995             ｄ14=  3.50     ｎd7 =1.49700 νd7 =81.54 
ｒ15=   -16.522             ｄ15=  0.32     
ｒ16=   -78.441             ｄ16=  0.86     ｎd8 =1.84666 νd8 =23.78 
ｒ17=     6.416             ｄ17= （可変）  
ｒ18=    15.271 （非球面）  ｄ18=  3.00     ｎd9 =1.80610 νd9 =40.92 
ｒ19=   -52.723 （非球面）  ｄ19= （可変）  
ｒ20=     ∞                ｄ20=  0.95     ｎd10=1.54771 νd10=62.84 
ｒ21=     ∞                ｄ21=  0.60     
ｒ22=     ∞                ｄ22=  0.50     ｎd11=1.51633 νd11=64.14 
ｒ23=     ∞                ｄ23=  1.00     
ｒ24=     ∞（像面）        
非球面係数
第１２面
Ｋ  = -0.175
Ａ4 = -1.51770×10-4
Ａ6 = -1.22059×10-6
Ａ8 = -6.00570×10-8
Ａ10=  0
第１３面
Ｋ  = -1.273
Ａ4 =  2.22054×10-5
Ａ6 = -1.32154×10-6
Ａ8 = -1.69221×10-8
Ａ10=  0
第１８面
Ｋ  = -1.323
Ａ4 =  6.11593×10-5
Ａ6 =  2.76946×10-6
Ａ8 = -4.80254×10-9
Ａ10=  1.01832×10-10 
第１９面
Ｋ  =-50.000
Ａ4 =  5.57112×10-5
Ａ6 =  3.38998×10-6
Ａ8 =  0
Ａ10=  0
ズームデータ（∞）
ＷＥ            ＳＴ            ＴＥ
ｆ (mm)             5.967          10.171          17.687 
ＦNO                1.84            2.04            2.27  
ω（°）           38.21           23.89           14.00
ｄ2                 1.00            7.66           15.98  
ｄ10               15.23            6.57            1.50  
ｄ17                3.79            4.38            8.22  
ｄ19                4.70            6.86            8.72                    。
【００７３】
実施例２
ｒ1 =    24.743             ｄ1 =  4.80     ｎd1 =1.49700 νd1 =81.54 
ｒ2 =   237.149             ｄ2 = （可変）  
ｒ3 =    29.187             ｄ3 =  1.40     ｎd2 =2.00330 νd2 =28.27 
ｒ4 =     7.467             ｄ4 =  3.91     
ｒ5 =   -32.614             ｄ5 =  1.30     ｎd3 =1.77250 νd3 =49.60 
ｒ6 =    16.610             ｄ6 =  0.34     
ｒ7 =    14.576             ｄ7 =  2.60     ｎd4 =1.92286 νd4 =20.88 
ｒ8 =  -202.956             ｄ8 = （可変）  
ｒ9 =     ∞（絞り）        ｄ9 =  1.00     
ｒ10=    11.593 （非球面）  ｄ10=  3.00     ｎd5 =1.80610 νd5 =40.73 
ｒ11=   -35.595 （非球面）  ｄ11=  0.30     
ｒ12=     9.122             ｄ12=  3.30     ｎd6 =1.77250 νd6 =49.60 
ｒ13=   -19.178             ｄ13=  0.86     ｎd7 =1.92286 νd7 =20.88 
ｒ14=     5.461             ｄ14= （可変）  
ｒ15=    12.339 （非球面）  ｄ15=  3.00     ｎd8 =1.81474 νd8 =37.03 
ｒ16=   -78.327 （非球面）  ｄ16= （可変）  
ｒ17=     ∞                ｄ17=  0.95     ｎd9 =1.54771 νd9 =62.84 
ｒ18=     ∞                ｄ18=  0.60     
ｒ19=     ∞                ｄ19=  0.50     ｎd10=1.51633 νd10=64.14 
ｒ20=     ∞                ｄ20=  1.00     
ｒ21=     ∞（像面）        
非球面係数
第１０面
Ｋ  = -0.745
Ａ4 = -7.12068×10-5
Ａ6 = -2.50846×10-7
Ａ8 = -9.36369×10-8
Ａ10=  0
第１１面
Ｋ  = -6.961
Ａ4 = -4.69818×10-5
Ａ6 = -9.69203×10-7
Ａ8 = -7.71201×10-8
Ａ10=  0
第１５面
Ｋ  =  2.346
Ａ4 = -1.80684×10-4
Ａ6 = -4.97044×10-6
Ａ8 =  1.84910×10-7
Ａ10= -4.67999×10-9
第１６面
Ｋ  =-50.000
Ａ4 =  5.67250×10-5
Ａ6 =  7.71481×10-7
Ａ8 =  1.45774×10-8
Ａ10=  0
ズームデータ（∞）
ＷＥ            ＳＴ            ＴＥ
ｆ (mm)             6.036          10.036          17.569 
ＦNO                1.84            2.01            2.25  
ω（°）           37.98           24.01           14.02
ｄ2                 1.00            7.78           16.27  
ｄ8                14.72            6.60            1.48  
ｄ14                4.00            4.41            6.92  
ｄ16                2.40            3.95            5.15                    。
【００７４】
実施例３
ｒ1 =    23.793             ｄ1 =  4.80     ｎd1 =1.48749 νd1 =70.23 
ｒ2 =   172.819             ｄ2 = （可変）  
ｒ3 =    28.340             ｄ3 =  1.30     ｎd2 =1.90366 νd1 =31.31 
ｒ4 =     7.773             ｄ4 =  3.48     
ｒ5 =   -78.545             ｄ5 =  1.00     ｎd3 =1.81600 νd1 =46.62 
ｒ6 =    15.477             ｄ6 =  1.54     
ｒ7 =    15.956             ｄ7 =  2.60     ｎd4 =1.92286 νd1 =18.90 
ｒ8 =    73.792             ｄ8 = （可変）  
ｒ9 =     ∞（絞り）        ｄ9 =  1.00     
ｒ10=    12.637 （非球面）  ｄ10=  3.00     ｎd5 =1.80610 νd1 =40.73 
ｒ11=   -33.558 （非球面）  ｄ11=  0.30     
ｒ12=     9.979             ｄ12=  3.30     ｎd6 =1.77250 νd1 =49.60 
ｒ13=  -102.518             ｄ13=  0.90     ｎd7 =1.92286 νd1 =18.90 
ｒ14=     5.866             ｄ14= （可変）  
ｒ15=    12.579 （非球面）  ｄ15=  3.00     ｎd8 =1.81474 νd1 =37.03 
ｒ16=   -79.820 （非球面）  ｄ16= （可変）  
ｒ17=     ∞                ｄ17=  0.95     ｎd9 =1.54771 νd1 =62.84 
ｒ18=     ∞                ｄ18=  0.60     
ｒ19=     ∞                ｄ19=  0.50     ｎd10=1.51633 νd1 =64.14 
ｒ20=     ∞                ｄ20=  1.01     
ｒ21=     ∞（像面）        
非球面係数
第１０面
Ｋ  = -0.338
Ａ4 = -1.67760×10-4
Ａ6 = -1.01067×10-6
Ａ8 = -1.54472×10-7
Ａ10=  0
第１１面
Ｋ  =-14.065
Ａ4 = -1.47944×10-4
Ａ6 = -1.16748×10-6
Ａ8 = -1.26121×10-7
Ａ10=  0
第１５面
Ｋ  =  2.162
Ａ4 = -1.39058×10-4
Ａ6 = -9.02918×10-8
Ａ8 =  6.40694×10-8
Ａ10= -1.98927×10-9
第１６面
Ｋ  =-38.549
Ａ4 =  1.29933×10-4
Ａ6 =  8.03738×10-7
Ａ8 =  1.70648×10-7
Ａ10= -2.88993×10-9
ズームデータ（∞）
ＷＥ            ＳＴ            ＴＥ
ｆ (mm)             6.077          10.502          17.355 
ＦNO                1.84            2.05            2.24  
ω（°）           37.99           23.27           14.23
ｄ2                 1.00            7.48           16.09  
ｄ8                14.52            5.69            1.64  
ｄ14                3.75            4.43            7.16  
ｄ16                3.28            5.18            6.19                    。
【００７５】
実施例４
ｒ1 =    31.079             ｄ1 =  1.00     ｎd1 =1.92286 νd1 =20.88 
ｒ2 =    22.683             ｄ2 =  0.01     ｎd2 =1.56384 νd2 =60.67 
ｒ3 =    22.683             ｄ3 =  3.30     ｎd3 =1.83481 νd3 =42.71 
ｒ4 =   105.363             ｄ4 = （可変）  
ｒ5 =    41.865             ｄ5 =  0.90     ｎd4 =2.00330 νd4 =28.27 
ｒ6 =     7.769             ｄ6 =  3.31     
ｒ7 =   -17.113             ｄ7 =  0.85     ｎd5 =1.83481 νd5 =42.71 
ｒ8 =    25.611             ｄ8 =  0.82     
ｒ9 =    19.784             ｄ9 =  2.20     ｎd6 =1.92286 νd6 =20.88 
ｒ10=   -39.912             ｄ10= （可変）  
ｒ11=     ∞（絞り）        ｄ11=  1.00     
ｒ12=     7.079 （非球面）  ｄ12=  2.00     ｎd7 =1.58313 νd7 =59.46 
ｒ13=   -52.845 （非球面）  ｄ13=  0.20     
ｒ14=     8.260             ｄ14=  2.30     ｎd8 =1.48749 νd8 =70.23 
ｒ15=   -59.428             ｄ15=  0.21     
ｒ16=    12.089             ｄ16=  0.80     ｎd9 =1.84666 νd9 =23.78 
ｒ17=     4.050             ｄ17= （可変）  
ｒ18=   -35.202 （非球面）  ｄ18=  2.30     ｎd10=1.58313 νd10=59.46 
ｒ19=    -8.936 （非球面）  ｄ19= （可変）  
ｒ20=     ∞                ｄ20=  0.95     ｎd11=1.54771 νd11=62.84 
ｒ21=     ∞                ｄ21=  0.60     
ｒ22=     ∞                ｄ22=  0.50     ｎd12=1.51633 νd12=64.14 
ｒ23=     ∞                ｄ23=  0.99     
ｒ24=     ∞（像面）        
非球面係数
第１２面
Ｋ  = -0.184
Ａ4 = -2.68124×10-4
Ａ6 =  1.18191×10-5
Ａ8 = -6.84159×10-7
Ａ10=  3.41100×10-8
第１３面
Ｋ  = 54.834
Ａ4 =  3.00332×10-4
Ａ6 =  1.32075×10-5
Ａ8 = -4.52900×10-7
Ａ10=  3.02400×10-8
第１８面
Ｋ  =  0.000
Ａ4 = -1.83055×10-4
Ａ6 =  2.30180×10-6
Ａ8 =  4.11592×10-8
Ａ10=  0
第１９面
Ｋ  =  0.000
Ａ4 =  1.93838×10-4
Ａ6 = -2.54879×10-6
Ａ8 =  8.28627×10-8
Ａ10=  7.54300×10-10 
ズームデータ（∞）
ＷＥ            ＳＴ            ＴＥ
ｆ (mm)             6.077          12.125          25.440 
ＦNO                2.88            3.81            4.73  
ω（°）           37.98           20.01            9.77
ｄ4                 0.80            7.58           17.47  
ｄ10               16.77            8.74            2.72  
ｄ17                5.86           11.58           16.79  
ｄ19                2.85            2.00            2.91                    。
【００７６】
実施例５
ｒ1 =    24.707             ｄ1 =  1.00     ｎd1 =1.92286 νd1 =20.88 
ｒ2 =    18.015             ｄ2 =  3.30     ｎd2 =1.83481 νd2 =42.71 
ｒ3 =    60.544             ｄ3 = （可変）  
ｒ4 =    57.833             ｄ4 =  0.90     ｎd3 =2.00330 νd3 =28.27 
ｒ5 =     8.459             ｄ5 =  2.48     
ｒ6 =  -618.227             ｄ6 =  0.85     ｎd4 =1.83481 νd4 =42.71 
ｒ7 =    15.900             ｄ7 =  2.00     
ｒ8 =   -15.536             ｄ8 =  0.80     ｎd5 =1.83481 νd5 =42.71 
ｒ9 =  -100.493             ｄ9 =  0.10     
ｒ10=    27.850             ｄ10=  2.20     ｎd6 =1.92286 νd6 =20.88 
ｒ11=   -23.473             ｄ11= （可変）  
ｒ12=     ∞（絞り）        ｄ12=  1.00     
ｒ13=     6.635 （非球面）  ｄ13=  2.00     ｎd7 =1.51633 νd7 =64.14 
ｒ14=   -54.631 （非球面）  ｄ14=  0.20     
ｒ15=     8.049             ｄ15=  2.30     ｎd8 =1.49700 νd8 =81.54 
ｒ16=   -45.221             ｄ16=  0.21     
ｒ17=    10.405             ｄ17=  0.80     ｎd9 =1.84666 νd9 =23.78 
ｒ18=     3.971             ｄ18= （可変）  
ｒ19=   -22.577 （非球面）  ｄ19=  2.30     ｎd10=1.58313 νd10=59.46 
ｒ20=    -7.318 （非球面）  ｄ20= （可変）  
ｒ21=     ∞                ｄ21=  0.95     ｎd11=1.54771 νd11=62.84 
ｒ22=     ∞                ｄ22=  0.60     
ｒ23=     ∞                ｄ23=  0.50     ｎd12=1.51633 νd12=64.14 
ｒ24=     ∞                ｄ24=  0.99     
ｒ25=     ∞（像面）        
非球面係数
第１３面
Ｋ  = -0.140
Ａ4 = -3.58156×10-4
Ａ6 =  8.05105×10-6
Ａ8 = -7.18267×10-7
Ａ10=  3.41100×10-8
第１４面
Ｋ  = 35.123
Ａ4 =  3.46111×10-4
Ａ6 =  9.71315×10-6
Ａ8 = -4.52900×10-7
Ａ10=  3.02400×10-8
第１９面
Ｋ  =  0.000
Ａ4 = -2.45198×10-4
Ａ6 = -2.66338×10-5
Ａ8 =  8.12480×10-7
Ａ10=  0
第２０面
Ｋ  =  0.000
Ａ4 =  5.72566×10-4
Ａ6 = -1.60688×10-5
Ａ8 = -6.28136×10-10 
Ａ10=  1.30159×10-8
ズームデータ（∞）
ＷＥ            ＳＴ            ＴＥ
ｆ (mm)             5.176          10.986          24.805 
ＦNO                2.88            3.97            5.15  
ω（°）           42.69           21.66            9.94
ｄ3                 0.80            6.59           16.50  
ｄ11               16.53            7.48            1.63  
ｄ18                5.12           11.35           17.13  
ｄ20                2.56            1.21            0.67                    。
【００７７】
以上の実施例１〜４の無限遠物点合焦時の収差図をそれぞれ図６〜図１０に示す。これらの収差図において、（ａ）は広角端、（ｂ）は中間状態、（ｃ）は望遠端におけるの球面収差（ＳＡ）、非点収差（ＡＳ）、歪曲収差（ＤＴ）、倍率色収差（ＣＣ）を示す。
【００７８】
上記実施例１〜５の条件式（Ａ）、（１）〜（８）及び後記条件式（９）の値は次の通りである。
【００７９】
条件式  実施例１  実施例２  実施例３  実施例４  実施例５
（Ａ）   0.71      0.64      0.65      0.57      0.71 
（１）   2.51      2.20      2.23      3.27      3.40 
（２）   0.97      1.08      1.08      1.07      1.00 
（３）   4.28      3.93      4.14      3.03      3.42 
（４）   5.61      5.11      5.29      5.44      5.37 
（５）   1.05      0.99      1.04      0.63      0.69 
（６）   0.46      0.39      0.41      0.66      0.69 
（７）   1.65      1.76      1.67      1.66      1.63 
（８）   1.52      1.65      1.56      1.57      1.54 
（９）   0.85      0.86      0.88      1.64      2.53                     。
【００８０】
以上の本発明の撮像装置において、ズームレンズが次の条件式（９）を満足することが望ましい。
【００８１】
０．８＜ｈ4(w)／ｈ4(t)＜０．９                                ・・・（９）
ただし、ｈ4(w)は広角端での軸上マージナル光が第４レンズ群の物体側に入射する光線高、ｈ4(t)は望遠端での軸上マージナル光が第４レンズ群の物体側に入射する光線高である。
【００８２】
この条件式（９）は第４レンズ群の軸上マージナル光線の高さに関する条件式である。この条件式（９）の上限の０．９を越えると、望遠側変倍時に第２レンズ群で発生する正の球面収差を補正するのが難しくなる。条件式（９）の下限の０．８を越えると、望遠側変倍時に負の球面収差の発生が大きくなる。
【００８３】
さて、以上のような本発明のズームレンズで物体像を形成しその像をＣＣＤ等の撮像素子に受光させて撮影を行う撮影装置、とりわけデジタルカメラやビデオカメラ等に用いることができる。以下に、その実施形態を例示する。
【００８４】
図１１〜図１３は、本発明によるズームレンズをデジタルカメラの撮影光学系４１に組み込んだ構成の概念図を示す。図１１はデジタルカメラ４０の外観を示す前方斜視図、図１２は同後方正面図、図１３はデジタルカメラ４０の構成を示す模式的な透視平面図である。ただし、図１１と図１３においては、撮影光学系４１の非沈胴時を示している。デジタルカメラ４０は、この例の場合、撮影用光路４２を有する撮影光学系４１、ファインダー用光路４４を有するファインダー光学系４３、シャッター４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１３の非沈胴状態になり、カメラ４０の上部に配置されたシャッター４５を押圧すると、それに連動して撮影光学系４１、例えば実施例１のズームレンズを通して撮影が行われる。撮影光学系４１によって形成された物体像が、ＩＲカットコートを施したローパスフィルターＬＦとカバーガラスＣＧを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【００８５】
さらに、ファインダー用光路４４上にはファインダー用対物光学系５３が配置してある。ファインダー用対物光学系５３は、複数のレンズ群（図の場合は４群）と２つのプリズムからなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、正立正像にされた像を観察者眼球Ｅに導く接眼光学系５９が配置されている。なお、接眼光学系５９の射出側にカバー部材５０が配置されている。
【００８６】
このように構成されたデジタルカメラ４０は、撮影光学系４１が高性能で小型で沈胴収納が可能であるあるので、高性能・小型化が実現できる。
【００８７】
本発明は、以上のような一般的な被写体を撮影する所謂コンパクトデジタルカメラだけでなく、広い画角が必要な監視カメラや、レンズ交換式のカメラに適用してもよい。
【図面の簡単な説明】
【００８８】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】実施例１の無限遠物点合焦時の収差図である。
【図７】実施例２の無限遠物点合焦時の収差図である。
【図８】実施例３の無限遠物点合焦時の収差図である。
【図９】実施例４の無限遠物点合焦時の収差図である。
【図１０】実施例５の無限遠物点合焦時の収差図である。
【図１１】本発明によるデジタルカメラの外観を示す前方斜視図である。
【図１２】図１１のデジタルカメラの後方斜視図である。
【図１３】図１１のデジタルカメラの断面図である。
【符号の説明】
【００８９】
Ｇ１…第１レンズ群
Ｇ２…第２レンズ群
Ｇ３…第３レンズ群
Ｇ４…第３レンズ群
Ｓ…開口絞り
Ｆ…ローパスフィルタ
Ｃ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
【図１】
2006308649.tif 000003
【図２】
2006308649.tif 000004
【図３】
2006308649.tif 000005
【図４】
2006308649.tif 000006
【図５】
2006308649.tif 000007
【図６】
2006308649.tif 000008
【図７】
2006308649.tif 000009
【図８】
2006308649.tif 000010
【図９】
2006308649.tif 000011
【図１０】
2006308649.tif 000012
【図１１】
2006308649.tif 000013
【図１２】
2006308649.tif 000014
【図１３】
2006308649.tif 000015